(57)【要約】    【課題】  ティー等の脚体に容易に着脱し得、ゴルフボールを支持して打球した際の脚体からのボール支持部の離脱を防ぐ。    【解決手段】  全体を弾性材料で構成し、ボール支持部２１０・離脱防止部２２６・大寸法内部２１２・下方縮小の下方開口部２１４を有する上部構造部Ｕと、小寸法内部２１６を有する下方保持部Ｌを連結部Ｃで連結する。上部構造部Ｕと下方保持部Ｌの間のうち連結部Ｃ以外の部分は側方開放部２２０を構成する。連結部Ｃを弾性変形により屈曲させて上部構造部Ｕを外側方へ変位させることにより、側方開放部２２０を側方のみならず上方にも十分開放させる。側方開放部２２０を介して上方開口部２１８から小寸法内部２１６に脚部Ｔ１を下向きに挿通し、連結部Ｃを復元させて下方開口部２１４から水平方向拡大部Ｔ２を大寸法内部２１２に挿入して、ゴルフボール支持体ＳｃをゴルフティーＴに取り付け得る。【選択図】      図５
2005177156.tif 000002
【特許請求の範囲】
【請求項１】
地面に差し込んで自立させる脚部の上方に水平方向拡大部を備えた脚体に着脱可能に取り付けられるゴルフボール支持体であって、
ボール支持部を上端部に有し、そのボール支持部の下方に、前記脚体の水平方向拡大部を収容するための大寸法内部を有し、その大寸法内部の下方に、前記脚体における水平方向拡大部よりも下方に位置する下方部を挿通保持してその脚体の下方離脱を防止する小寸法内部を有し、前記大寸法内部の上部に、前記脚体の上方離脱を防止する離脱防止部を有してなり、
前記脚体における前記下方部が小寸法内部により保持され、前記水平方向拡大部が前記大寸法内部に収容されて前記離脱防止部により前記脚体の上方離脱が防止された状態で、脚体に取り付けられることを特徴とするゴルフボール支持体。
【請求項２】
上記ボール支持部と離脱防止部と大寸法内部を備えた上部構造部と、上記小寸法内部を備えた下方保持部と、それらの上部構造部と下方保持部を上下連結する連結部を有してなり、
前記上部構造部における大寸法内部の下方側は、縮小されて下方開口部に形成され、前記小寸法内部は上方開口部を有し、
前記上部構造部の下方開口部と前記下方保持部の上方開口部の間に、その下方保持部の小寸法内部に上方開口部から上記脚体の脚部を挿通すると共に、前記上部構造部の下方開口部から大寸法内部に上記脚体の水平方向拡大部を挿入するための側方開放部を有する請求項１記載のゴルフボール支持体。
【請求項３】
上記連結部が、上部構造部における下方開口部の全周の３分の１以下の幅の帯状をなし、上部構造部における下方開口部の外側部と下方保持部における上方開口部の外側部を上下に連結するものであり、前記上部構造部の下方開口部と前記下方保持部の上方開口部の間のうち前記連結部以外の部分が上記側方開放部を構成している請求項２記載のゴルフボール支持体。
【請求項４】
上記連結部が弾性材料からなり、下方保持部の小寸法内部に上方開口部から上記脚体の脚部を挿通する際に連結部を弾性変形させて上部構造部を一時側方へ変位させることができるものである請求項２又は３記載のゴルフボール支持体。
【請求項５】
上記上部構造部における少なくとも大寸法内部の外周部が弾性材料からなり、その弾性変形による下方開口部の拡大により、上記大寸法内部に対する下方開口部を通じての上記水平方向拡大部の挿入及び離脱を可能とするものである請求項２、３又は４記載のゴルフボール支持体。
【請求項６】
上記上部構造部における少なくとも大寸法内部の外周部が弾性材料からなり、その大寸法内部の外周部に、下方開口部に開放した切込部を１又は２以上有し、その切込部の水平方向間隙が前記外周部の弾性的な変形により拡大して下方開口部の水平方向の寸法が拡大し得るものである請求項２乃至５の何れかに記載のゴルフボール支持体。
【請求項７】
全体が弾性材料製である請求項１乃至６の何れかに記載のゴルフボール支持体。
【請求項８】
上記ボール支持部が、略上方又は上外方に突起する３以上の支持突起を有してなり、それらの支持突起の上にゴルフボールを支持するものであり、前記支持突起は、大寸法内部の外周部の上方に位置する請求項１乃至７の何れかに記載のゴルフボール支持体。
【発明の詳細な説明】
【技術分野】
【０００１】
本発明は、脚体に着脱可能に取り付けられるゴルフボール支持体に関する。
【背景技術】
【０００２】
実開平５−８６３７０号公報（特許文献１）には、多数の上方突起が円形に配列され、円形に並んだそれらの先端部上にゴルフボールを支持するボール支持部を備えたゴルフティーが記載されている。この種のゴルフティーは、合成樹脂製であり、全体が一体をなす。また、その形態により、従来の、棒状脚部の上端部が拡径して皿状のボール支持部に形成された単純な形状のゴルフティーに比し、製造コストは高い。そのため、破損した場合、全体を交換する必要があり、比較的費用が嵩む。
【０００３】
一方、実用新案出願公告第４０２号公報（特許文献２）には、軸状の脚部の上端をゴム製のボール支持部の下部に挿脱交換可能なゴルフティが記載されている。また特開２０００−１８９５４９号公報（特許文献３）には、軸状の脚部の上端をプラスチック製のボール支持部の下部に挿脱交換可能なゴルフティが記載されている。これらのゴルフティは、ボール支持部を交換して使用することができるが、ゴルフボールを支持して打球すると、脚部からボール支持部が離脱してそのボール支持部を紛失することが生じ易い。
【特許文献１】実開平５−８６３７０号公報
【特許文献２】実用新案出願公告第４０２号公報
【特許文献３】特開２０００−１８９５４９号公報
【発明の開示】
【発明が解決しようとする課題】
【０００４】
本発明は、従来技術に存した上記のような課題に鑑み行われたものであって、その目的とするところは、既存のティー等の脚体に対し容易に着脱可能であると共に、ゴルフボールを支持して打球した場合に脚体からボール支持部が離脱することが防止されるゴルフボール支持体を提供することにある。
【課題を解決するための手段】
【０００５】
(1)  上記目的を達成する本発明のゴルフボール支持体は、
地面に差し込んで自立させる脚部の上方に水平方向拡大部を備えた脚体に着脱可能に取り付けられるゴルフボール支持体であって、
ボール支持部を上端部に有し、そのボール支持部の下方に、前記脚体の水平方向拡大部を収容するための大寸法内部を有し、その大寸法内部の下方に、前記脚体における水平方向拡大部よりも下方に位置する下方部を挿通保持してその脚体の下方離脱を防止する小寸法内部を有し、前記大寸法内部の上部に、前記脚体の上方離脱を防止する離脱防止部を有してなり、
前記脚体における前記下方部が小寸法内部により保持され、前記水平方向拡大部が前記大寸法内部に収容されて前記離脱防止部により前記脚体の上方離脱が防止された状態で、脚体に取り付けられることを特徴とする。
【０００６】
このゴルフボール支持体は、既存のティー等の脚体における水平方向拡大部よりも下方に位置する下方部が小寸法内部に挿通保持されて脚体の下方離脱が防止され、脚体の水平方向拡大部が大寸法内部に収容されて離脱防止部により脚体の上方離脱が防止された状態で、脚体の上部に取り付けられ、ボール支持部上にゴルフボールを支持し得る状態となる。
【０００７】
なお、本明細書中の上下位置関係に関する記述は、ゴルフボールの打球のためにゴルフボール支持体を使用する状態、すなわちゴルフボール支持体を脚体に取付けてその脚体の脚部を地面に差し込んで起立させ、ボール支持部にゴルフボールを支持する状態における上下位置関係を基準とする。
【０００８】
(2)  また、本発明のゴルフボール支持体は、
上記ボール支持部と離脱防止部と大寸法内部を備えた上部構造部と、上記小寸法内部を備えた下方保持部と、それらの上部構造部と下方保持部を上下連結する連結部を有してなり、
前記上部構造部における大寸法内部の下方側は、縮小されて下方開口部に形成され、前記小寸法内部は上方開口部を有し、
前記上部構造部の下方開口部と前記下方保持部の上方開口部の間に、その下方保持部の小寸法内部に上方開口部から上記脚体の脚部を挿通すると共に、前記上部構造部の下方開口部から大寸法内部に上記脚体の水平方向拡大部を挿入するための側方開放部を有するものとすることができる。
【０００９】
この場合、上部構造部の下方開口部と下方保持部の上方開口部の間で側方に開放された側方開放部を介して、下方保持部の上方開口部から小寸法内部に脚体の脚部を挿通すると共に、上部構造部の下方開口部から大寸法内部に脚体の水平方向拡大部を挿入する。これにより、脚体における水平方向拡大部よりも下方に位置する下方部が小寸法内部に挿通保持されて脚体の下方離脱が防止され、脚体の水平方向拡大部が大寸法内部に収容されて離脱防止部により脚体の上方離脱が防止された状態で、ゴルフボール支持体が脚体の上部に取り付けられ、ボール支持部上にゴルフボールを支持し得る状態となる。なお、連結部は複数とすることもできる。例えば略平行状の複数の連結部により上部構造部と下方保持部を上下連結するものとすることができる。より具体的には、例えば上部構造部の下方開口部を挟んで対向する２箇所と下方保持部の上方開口部を挟んで対向する２箇所をそれぞれ連結部により上下連結したものとすることができ、更に１箇所連結部を有するものとすることもできる。何れの場合も、側方開放部は、例えば上部構造部における下方開口部の全周の約５分の３以上にわたるものとすることができる。好ましくは約２分の１以上、より好ましくは約３分の２以上である。
【００１０】
このゴルフボール支持体は、上記連結部が、上部構造部における下方開口部の全周の３分の１以下（好ましくは４分の１以下、より好ましくは６分の１以下）の幅の帯状をなし、上部構造部における下方開口部の外側部と下方保持部における上方開口部の外側部を上下に連結するものであり、前記上部構造部の下方開口部と前記下方保持部の上方開口部の間のうち前記連結部以外の部分が上記側方開放部を構成しているものとすることができる。
【００１１】
連結部が、大寸法内部における下方開口部の外側部と下方保持部における上方開口部の外側部を上下に連結する帯状をなし、その幅は大寸法内部の下方開口部の全周の３分の１以下であり、上部構造部の下方開口部と下方保持部の上方開口部の間のうち連結部以外の部分が側方開放部を構成している。側方開放部の側方開放の度合いが大きく、連結部が下方開口部と上方開口部を塞ぐことが防がれるため、側方開放部を介して、上方開口部から小寸法内部に脚体の脚部を挿通すると共に下方開口部から大寸法内部に脚体の水平方向拡大部を挿入してゴルフボール支持体を脚体の上部に取り付ける上で好適である。
【００１２】
(3)  上記ゴルフボール支持体は、上記連結部が弾性材料からなり、下方保持部の小寸法内部に上方開口部から上記脚体の脚部を挿通する際に連結部を弾性変形させて上部構造部を一時側方へ変位させることができるものとすることができる。
【００１３】
連結部を弾性変形させて上部構造部を一時側方へ変位させることにより、側方開放部を側方のみならず上方にも十分に開放させることができる。そのため、側方開放部を介して下方保持部の上方開口部から小寸法内部に脚体の脚部を挿通する際に、上部構造部と下方保持部の間隔、すなわち側方開放部の上下寸法が比較的小さくても、上部構造部に妨げられることを可及的に避けることができ、挿通後は、連結部の変形を復元させて上部構造部の下方開口部から水平方向拡大部を大寸法内部に挿入することができるので、ゴルフボール支持体を脚体の上部に取り付ける上で好適である。
【００１４】
なお、側方開放部の上下寸法は、例えば小寸法内部の水平方向寸法の１乃至５倍程度とすることができる。好ましくは１．５乃至３倍程度である。
【００１５】
(4)  上記ゴルフボール支持体は、上記上部構造部における少なくとも大寸法内部の外周部が弾性材料からなり、その弾性変形による下方開口部の拡大により、上記大寸法内部に対する下方開口部を通じての上記水平方向拡大部の挿入及び離脱を可能とするものとすることができる。
【００１６】
この場合、上部構造部の下方開口部から大寸法内部に脚体の水平方向拡大部を挿入する作業及び下方開口部を通じて水平方向拡大部を離脱させる作業が、大寸法内部の外周部の弾性変形による下方開口部の拡大によって円滑に行われ得、大寸法内部における水平方向拡大部の収容保持が、下方開口部の弾性収縮によって確実に行われるものとなる。
【００１７】
(5)  また上記ゴルフボール支持体は、上記上部構造部における少なくとも大寸法内部の外周部が弾性材料からなり、その大寸法内部の外周部に、下方開口部に開放した切込部を１又は２以上有し、その切込部の水平方向間隙が前記外周部の弾性的な変形により拡大して下方開口部の水平方向の寸法が拡大し得るものとすることができる。
【００１８】
この場合、弾性材料からなる大寸法内部の外周部に設けられた切込部の水平方向間隙が、大寸法内部の外周部の弾性的な変形により拡大し、下方開口部の水平方向の寸法が拡大し得る。そのため、上部構造部の下方開口部から大寸法内部に脚体の水平方向拡大部を挿入する作業及び下方開口部を通じて水平方向拡大部を離脱させる作業が、大寸法内部の外周部の弾性変形による下方開口部の拡大によって円滑に行われ得、大寸法内部における水平方向拡大部の収容保持が、下方開口部を含む大寸法内部の外周部の弾性収縮によって確実に行われるものとなる。
【００１９】
(6)  上記ゴルフボール支持体は、全体が弾性材料製であるものとすることができる。
【００２０】
(7)  また上記ゴルフボール支持体は、ボール支持部が、略上方又は上外方に突起する３以上の支持突起を有してなり、それらの支持突起の上にゴルフボールを支持するものであり、前記支持突起は、大寸法内部の外周部の上方に、大寸法内部の上方部を取り囲むように位置するものとすることができる。
【００２１】
この場合、ゴルフボールは、ティー等の脚体の上部に取り付けられたゴルフボール支持体における大寸法内部の上方部を取り囲むように位置する３以上の支持突起上に支持させることができる。
【発明の効果】
【００２２】
本発明のゴルフボール支持体は、既存のティー等の脚体に対し容易に着脱可能であると共に、ゴルフボールを支持して打球した場合に脚体からボール支持部が離脱することが防止される。
【発明を実施するための最良の形態】
【００２３】
本発明の実施の形態を、図面を参照しつつ説明する。
【００２４】
図面は何れも本発明のゴルフボール支持体の実施の形態の例に関するものであって、図１は正面図、図２は平面図、図３は右側面図、図４は底面図、図５は縦断面図、図６は取付過程を示す縦断面図である。
【００２５】
このゴルフボール支持体Ｓｃは、全体が軟質合成樹脂製（弾性材料製）であり、一体成形により製造されるものであって、二点鎖線で図示するような既存のゴルフティーＴ（脚体）に着脱可能に取付けることができるものであるが、材料及び取付け対象はこれに限るものではない。
【００２６】
前記ゴルフティーＴは、下端が円錐尖端状に形成された丸棒状の脚部Ｔ１の上端部に、外周部が上方に向かって略漏斗形状に拡径した水平方向拡大部Ｔ２を有し、その水平方向拡大部Ｔ２の上面が皿状のボール支持凹部に形成された木製ティーである。木製に限るものではないが、打球による紛失時の環境保護上、木製が好ましい。
【００２７】
ゴルフボール支持体Ｓｃは、上部構造部Ｕと、下方保持部Ｌと、それらの上部構造部Ｕと下方保持部Ｌを上下連結する連結部Ｃからなる。
【００２８】
上部構造部Ｕは、ボール支持部２１０を上端外周部に有し、そのボール支持部２１０の下方に、上下方向軸線に対し略回転対称状をなす大寸法内部２１２を有し、その大寸法内部２１２の上部のうちボール支持部２１０の内方に、ゴルフティーＴの上方離脱を防止する離脱防止部２２６を有する。離脱防止部２２６は上方突出の環状をなし、中央部が大寸法内部２１２から上方に貫通している。上部構造部Ｕにおける大寸法内部２１２の下方側は、水平方向の内部寸法が下方に向かって漏斗状に縮小されて下方開口部２１４が形成されている。
【００２９】
大寸法内部２１２の外周部に、下方開口部２１４に開放した切込部２１５を連結部Ｃから上下方向軸線を中心として両側に９０度ずつ離隔した位置にそれぞれ設けられている。
【００３０】
ボール支持部２１０は、大寸法内部２１２の外周部から略上方に突起する支持突起２１０ａを、上下方向軸線を中心として６０度中心角毎の６箇所に有してなり、それらの支持突起２１０ａの上にゴルフボールを支持するものである。従って支持突起２１０ａは、大寸法内部２１２の外周部の上方に、大寸法内部２１２の上方部を取り囲むように位置している。なお、隣り合う支持突起２１０ａ同士の間の中心角は、１７０度以下とすることができ、９０度以下であることが好ましい。より好ましくは６０度以下である。
【００３１】
下方保持部Ｌは、下方開口部２１４から所定上下間隔を隔てた下方において大寸法内部２１２と同軸状に位置する上下貫通の小寸法内部２１６を有する。小寸法内部２１６は、水平方向の内部寸法が大寸法内部２１２よりも小さく、水平方向拡大部Ｔ２が上方に位置する状態で下方の脚部Ｔ１を挿通保持し、ゴルフティーＴの下方離脱を防止する。
【００３２】
連結部Ｃは、上部構造部Ｕにおける下方開口部２１４の全周の８分の１以下の幅の帯状をなし、上部構造部Ｕにおける下方開口部２１４の外側部と下方保持部Ｌにおける小寸法内部２１６の上方開口部２１８の外側部を、やや上外方傾斜状に上下に連結し、上部構造部Ｕと下方保持部Ｌの位置関係を規定する。
【００３３】
上部構造部Ｕの下方開口部２１４と下方保持部Ｌの上方開口部２１８の間のうち連結部Ｃ以外の部分は、下方保持部Ｌの小寸法内部２１６に上方開口部２１８からゴルフティーＴの脚部Ｔ１を挿通すると共に、上部構造部Ｕの下方開口部２１４から大寸法内部２１２に水平方向拡大部Ｔ２を挿入するための側方開放部２２０を構成する。
【００３４】
ゴルフボール支持体ＳｃをゴルフティーＴに取り付ける場合、図６に示すように連結部Ｃを弾性変形により屈曲させて上部構造部Ｕを一時外側方へ変位させる（下方保持部Ｌを外側方へ変位させるのと同義）。これにより、側方開放部２２０を側方のみならず上方にも十分に開放させることができる。そのため、側方開放部２２０を介して下方保持部Ｌの上方開口部２１８から小寸法内部２１６に脚部Ｔ１を下向きに挿通する際に、上部構造部Ｕと下方保持部Ｌの間隔、すなわち側方開放部２２０の上下寸法が小寸法内部２１６の直径の２倍程度と比較的小さくても、上部構造部Ｕに妨げられることを可及的に避けることができる。
【００３５】
脚部Ｔ１を小寸法内部２１６に挿通した後は、連結部Ｃの変形を復元させて上部構造部Ｕの下方開口部２１４から水平方向拡大部Ｔ２を大寸法内部２１２に挿入することができる。その際、上部構造部Ｕにおける大寸法内部２１２の外周部に設けられた切込部２１５の水平方向間隙が、大寸法内部２１２の外周部の弾性的な変形により拡大し、下方開口部２１４の水平方向の寸法が拡大するため、水平方向拡大部Ｔ２を大寸法内部２１２に挿入する作業が円滑に行われ、大寸法内部２１２における水平方向拡大部Ｔ２の収容保持が、下方開口部２１４を含む大寸法内部２１２の外周部の弾性収縮によって確実に行われる。
【００３６】
この状態において、ゴルフティーＴにおける脚部Ｔ１の上部及び水平方向拡大部Ｔ２は、それぞれゴルフボール支持体Ｓｃにおける小寸法内部２１６に挿通保持されると共に大寸法内部２１２に収容保持され、水平方向拡大部Ｔ２よりも小径の小寸法内部２１６によりゴルフティーＴの下方離脱が防止されると共に、大寸法内部２１２の上部に有する離脱防止部２２６が水平方向拡大部Ｔ２の上面の上側に位置して水平方向拡大部Ｔ２の上方離脱が防止された状態となる。このようにして、ゴルフボール支持体ＳｃがゴルフティーＴの上部に取り付けられ、支持突起２１０ａ上にゴルフボールを支持し得る状態となる。
【００３７】
ゴルフボール支持体ＳｃがゴルフティーＴの上部に取り付けられた状態において、図６に示すように連結部Ｃを弾性変形により屈曲させて上部構造部Ｕを一時外側方へ変位させれば、切込部２１５の水平方向間隙が大寸法内部２１２の外周部の弾性的な変形により拡大し、下方開口部２１４の水平方向の寸法が拡大するため、水平方向拡大部Ｔ２を大寸法内部２１２から離脱させる作業が円滑に行われる。これにより、側方開放部２２０を側方のみならず上方にも十分に開放させることができるので、側方開放部２２０を介して下方保持部Ｌの小寸法内部２１６から脚部Ｔ１を上向きに離脱させてゴルフボール支持体ＳｃをゴルフティーＴから取り外すことができる。
【図面の簡単な説明】
【００３８】
【図１】正面図である。
【図２】平面図である。
【図３】右側面図である。
【図４】底面図である。
【図５】縦断面図である。
【図６】取付過程を示す縦断面図である。
【符号の説明】
【００３９】
２１０      ボール支持部
２１０ａ    支持突起
２１２      大寸法内部
２１４      下方開口部
２１５      切込部
２１６      小寸法内部
２１８      上方開口部
２２０      側方開放部
２２６      離脱防止部
Ｃ          連結部
Ｌ          下方保持部
Ｓｃ        ゴルフボール支持体
Ｔ          ゴルフティー
Ｔ１        脚部
Ｔ２        水平方向拡大部
Ｕ          上部構造部
【図１】
2005177156.tif 000003
【図２】
2005177156.tif 000004
【図３】
2005177156.tif 000005
【図４】
2005177156.tif 000006
【図５】
2005177156.tif 000007
【図６】
2005177156.tif 000008